(57)【要約】【課題】本発明の課題は、記録メディアに記録された電子情報の内容、履歴情報を容易に確認することである。【解決手段】ＣＤ−Ｒ１に、光学記録部１ａと無線ＩＣタグ１ｂを備え、記録再生装置１０は、ＣＤ−Ｒの光学記録部１ａに画像情報を記録すると共に、無線ＩＣタグ１ｂに光学記録部１ａに記録される画像情報のインデックス画像と光学記録部１ａに記録される画像情報の履歴情報を記録する。そして、記録再生装置１０の表面に設けられる無線通信部１５により、無線ＩＣタグ１ｂに記録させたインデックス画像及び履歴情報を読み取らせ、読み取ったインデックス画像及び履歴情報を表示部１７に表示させる。【選択図】      図１
2004355702.tif 000002
【特許請求の範囲】
【請求項１】
光により電子情報の記録再生が可能な第１の記録媒体と、無線通信により電子情報の読み書きが可能な第２の記録媒体と、を備える記録メディアであって、
前記第１の記録媒体は、画像情報、音楽情報、文字情報のうち少なくとも１つを含む情報を記録し、
前記第２の記録媒体は、前記第１の記録媒体に記録された情報の内容を示すインデックス情報と、前記第１の記録媒体に記録された情報に関する履歴情報のうち一方又は双方を記録することを特徴とする記録メディア。
【請求項２】
一又は二以上の記録メディアに記録された情報を他の記録メディアに記録する場合、当該他の記録メディアに記録される履歴情報は、元となる一又は二以上の記録メディアに関する情報を含むことを特徴とする請求項１記載の記録メディア。
【請求項３】
一又は二以上の記録メディアに記録された情報を他の記録メディアに記録する場合、当該他の記録メディアに記録される履歴情報は、前記第１の記録媒体に記録された情報量と、元となる一又は二以上の記録メディアに記録されていた情報量との割合に関する情報を含むことを特徴とする請求項１又は２記載の記録メディア。
【請求項４】
第１の記録媒体と第２の記録媒体とを備える記録メディアに対して、光により電子情報の記録を行う光学記録部と、無線通信により電子情報の記録を行う無線記録部と、を備える記録再生装置において、
前記光学記録部は、前記記録メディアの第１の記録媒体に、画像情報、音楽情報、文字情報のうち少なくとも１つを含む情報を記録し、
無線記録部は、前記記録メディアの第２の記録媒体に、前記第１の記録媒体に記録された情報の内容を示すインデックス情報と、前記第１の記録媒体に記録された情報に関する履歴情報のうち一方又は双方を記録することを特徴とする記録再生装置。
【請求項５】
前記記録メディアの第２の記録媒体に記録されたインデックス情報と履歴情報のうち一方又は双方を無線通信により読み取る無線通信部と、
前記無線通信部により読み取られたインデックス情報と履歴情報のうち一方又は双方を表示する表示部と、
を備えることを特徴とする請求項４記載の記録再生装置。
【請求項６】
前記無線通信部は、記録再生装置の表面に設けられることを特徴とする請求項５記載の記録再生装置。
【発明の詳細な説明】
【０００１】
【発明の属する技術分野】
本発明は、異なる記録方式により電子情報を記録する記録メディア及び記録再生装置に関するものである。
【０００２】
【従来の技術】
近年、デジタルスチルカメラで撮影したディジタル画像や、撮影済みのフィルムやプリント等の銀塩感光材料の画像をスキャナで読み取りディジタル情報に変換したディジタル画像情報をマイクロコンピュータで構成されるワークステーションでデータ圧縮等の所定の信号処理を施した後、書き込み装置で光ディスク等の記録メディアに記録し、これを再生装置で再生して高画質の写真画像をモニタ等で鑑賞できるようにするシステムが提案されている。
【０００３】
ところで、このような光ディスクに記録されている画像を再生して鑑賞する場合、複数枚の光ディスクの中から所望の画像を探し出して再生、鑑賞することは容易ではない。すなわち、再生装置に光ディスクを１枚ずつ装填し、読み出し時間が経過した後、モニタに表示された画像を見て所望の画像が記録されているか否かを判断する必要がある。複数枚の光ディスクに対して、その都度これらの操作を行うのは極めて面倒である。そこで、例えば、光ディスクの表面にインデックス画像を印刷したり、インデックス画像のシールを貼りつけることにより、光ディスクに記録されている内容を提示する方法が知られている（例えば、特許文献１参照）。
【０００４】
一方、近年では、異なる記録方式の情報記録部を一つの光ディスクに設けることにより、記録する情報の用途に応じて異なる記録方式により情報を記録し、情報の保護又は情報の書換えを行うことが可能な光ディスクが開発されている（例えば、特許文献２参照）。この光ディスクは、書換え不可能な情報記録部にネガフィルム等の銀塩感光材料から読み取った画像情報を記録し、書換え可能な情報記録部に各画像に対する再生条件、現像情報、カメラ撮影情報、画像変換特性マップ、濃度補正情報、注文情報等の画像以外の情報を記録する。この構成によれば、書換え可能な情報記録部に記録された再生情報等に基づいて、画像情報を自動的に再生することができ、鑑賞者が再生操作をする手間が省け、手軽に画像鑑賞を楽しむことができる。
【０００５】
【特許文献１】
実開平５−７３７１３号公報
【特許文献２】
特開平５−２５８３４７号公報
【０００６】
【発明が解決しようとする課題】
しかしながら、上述した光ディスクにおいては（特許文献１）、光ディスクの表面にインデックス画像のシールを貼付する場合、印刷部を備える装置を用いて、シールを印刷する必要がある。また、光ディスクの表面にシールを貼付することは、再生装置において誤作動を生じさせる原因にもなり、好ましい形態ではなかった。
【０００７】
一方、画像情報を記録する情報記録部が書換え可能である場合、一度表面にインデックス画像を印刷してしまうと、光ディスク記録される画像情報の書換えを行った場合、表面に印刷されている内容と、光ディスクに記録された内容が異なることとなるため、光ディスクの２次利用を妨げるという問題があった。また、異なる記録方式を備える光ディスクにおいて（特許文献２）、書換え可能な情報記録部に記録される情報は、再生条件や編集情報等であり、インデックスとしての機能を有するものではなかった。すなわち、これらの情報は、再生装置の内部処理のために利用される情報であって、ユーザに対して記録されたデータの内容を知らしめるものではなかった。
【０００８】
さらに、近年では、１つの光ディスクから他の光ディスクに画像情報の複製（データコピー）を行い、複数の光ディスクに記録したデータを個人で利用したり、友人にプレゼントすることが行われているが、複製が行われたＣＤ−Ｒと、オリジナルのＣＤ−Ｒとの区別がつきにくいという問題があった。つまり、複製が行われた光ディスクから、さらに他の光ディスクに画像情報の複製が行われる場合もあり、情報記録部に記録された画像情報からは、どの光ディスクがオリジナルで、どの光ディスクが何代目に複製されたものであるかを把握することはできなかった。
【０００９】
本発明の課題は、記録メディアに記録された電子情報の内容、履歴情報を容易に確認することを可能とする記録メディア及び記録再生装置を提供することである。
【００１０】
【課題を解決するための手段】
上記課題を解決するために、請求項１記載の発明は、
光により電子情報の記録再生が可能な第１の記録媒体と、無線通信により電子情報の読み書きが可能な第２の記録媒体と、を備える記録メディアであって、
前記第１の記録媒体は、画像情報、音楽情報、文字情報のうち少なくとも１つを含む情報を記録し、
前記第２の記録媒体は、前記第１の記録媒体に記録された情報の内容を示すインデックス情報と、前記第１の記録媒体に記録された情報に関する履歴情報のうち一方又は双方を記録することを特徴とする。
【００１１】
したがって、異なる記録方式による２つの記録媒体を備えることにより、記録する情報の性質に応じて、好適な記録媒体に情報の記録を行うことができる。これにより、例えば、情報の記録容量が大きい第１の記録媒体に、画像情報、音楽情報、文字情報といった容量の大きい情報を記録させて、重要な情報を多量かつ確実に記録することができる。また、アクセス速度の早い第２の記録媒体に、インデックス情報や履歴情報を記録することにより、迅速かつ手軽に記録メディアに記録された情報の内容確認を行うことができ、利便性が良い。
【００１２】
請求項２記載の発明は、請求項１記載の記録メディアにおいて、
一又は二以上の記録メディアに記録された情報を他の記録メディアに記録する場合、当該他の記録メディアに記録される履歴情報は、元となる一又は二以上の記録メディアに関する情報を含むことを特徴とする。
【００１３】
したがって、一又は二以上の記録メディアに記録された情報を他の記録メディアに記録する場合、履歴情報には、元となる記録メディアに関する情報が記録されるため、どの記録メディアから情報の複製が行われたかが明確になる。これにより、記録メディアから電子情報の複製を行う場合、オリジナルの記録メディアを容易に特定して、複製を行うことができ、記録ミスによる情報の欠落等を防ぐことができる。
【００１４】
請求項３記載の発明は、請求項１又は２記載の記録メディアにおいて、
一又は二以上の記録メディアに記録された情報を他の記録メディアに記録する場合、当該他の記録メディアに記録される履歴情報は、前記第１の記録媒体に記録された情報量と、元となる一又は二以上の記録メディアに記録されていた情報量との割合に関する情報を含むことを特徴とする。
【００１５】
したがって、一又は二以上の記録メディアに記録された情報を他の記録メディアに記録する場合、履歴情報には、記録された情報量と、元となる記録メディアに記録されていた情報量の割合を容易に認識することができる。
【００１６】
請求項４記載の発明は、
第１の記録媒体と第２の記録媒体とを備える記録メディアに対して、光により電子情報の記録を行う光学記録部と、無線通信により電子情報の記録を行う無線記録部と、を備える記録再生装置において、
前記光学記録部は、前記記録メディアの第１の記録媒体に、画像情報、音楽情報、文字情報のうち少なくとも１つを含む情報を記録し、
無線記録部は、前記記録メディアの第２の記録媒体に、前記第１の記録媒体に記録された情報の内容を示すインデックス情報と、前記第１の記録媒体に記録された情報に関する履歴情報のうち一方又は双方を記録することを特徴とする。
【００１７】
したがって、異なる記録方式による２つの記録媒体を備える記録メディアに、情報の性質に応じた記録方式にて情報を記録することができる。
【００１８】
請求項５記載の発明は、請求項４記載の記録再生装置において、
前記記録メディアの第２の記録媒体に記録されたインデックス情報と履歴情報のうち一方又は双方を無線通信により読み取る無線通信部と、
前記無線通信部により読み取られたインデックス情報と履歴情報とのうち一方又は双方を表示する表示部と、
を備えることを特徴とする。
【００１９】
したがって、記録メディアからインデックス情報や履歴情報を迅速かつ容易に読み取り、読み取った情報を表示部に表示させることができる。これにより、ユーザは、記録メディアに記録されている情報の内容を視覚的に簡単に確認することができ、利便性が良い。
【００２０】
請求項６記載の発明は、請求項５記載の記録再生装置において、
前記無線通信部は、記録再生装置の表面に設けられることを特徴とする。
【００２１】
したがって、例えば、ユーザは、記録メディアに設けられる第２の記録媒体を記録再生装置の表面に設けられる無線通信部に近づけるだけで、第２の記録媒体に記録された情報を読み取らせることができるため、操作性が良い。
【００２２】
【発明の実施の形態】
以下、図を参照して本発明の実施の形態を詳細に説明する。ただし、発明の範囲は、図示例に限定されない。ここで、記録メディアは、電子情報を記録しておくための記録媒体である。具体的には、ＣＤ−Ｒ（ＣＤ−Ｒｅｃｏｒｄａｂｌｅ）、ＤＶＤ−Ｒ（Ｄｉｇｉｔａｌ  Ｖｅｒｓａｔｉｌｅ  Ｄｉｓｋ  Ｒｅｃｏｒｄａｂｌｅ）、ＭＯ（Ｍａｇｎｅｔｏ  Ｏｐｔｉｃａｌ  ｄｉｓｋ）等の記録媒体を適用することが可能である。本実施の形態においては、記録メディアがＣＤ−Ｒである場合を例として説明を行う。
【００２３】
また、本実施の形態においては、記録メディアの第１の記録媒体に記録される情報が画像情報である場合を例として説明を行うが、これに限らず、音楽情報、文字情報等種々の情報を記録可能なことは勿論である。また、画像情報は、静止画像、動画像を含みことは勿論のこと、動画像と音声情報が一体となったビデオデータ等も含むものとする。また、画像情報を例として説明することに伴い、記録メディアの第２の記録媒体に記録されるインデックス情報は、インデックス画像である場合を例として説明を行うが、インデックス情報はこれに限らず、記録メディアに記録される情報の種別に応じて、曲名情報や目次情報等であってもよい。
【００２４】
まず、本実施の形態の構成を説明する。
図１は、本実施の形態におけるＣＤ−Ｒ１の構成を示す図である。図１に示すように、記録メディア１は、円板状の基盤１ｃの片面に、基盤１ｃより半径の小さい同心円上に光学記録領域が設けられ、光学記録領域の内側、中心部には、タグ記録領域が設けられている。基盤１ｃは、アクリル又はポリカーボネート等の樹脂により形成され、光学記録領域の表面には、例えば、金属膜等の薄膜を蒸着した光学記録再生方式による光学記録部１ａが形成されている。この光学記録部１ａには、記録再生装置１０により、デジタルスチルカメラにより撮影された画像、ネガフィルム等の銀塩感光材料から読み取られた画像、プリント画像がスキャナにより読み取られた画像等の各種画像情報が記録される。
【００２５】
また、タグ記録領域には、ＲＦＩＤ（Ｒａｄｉｏ  Ｆｒｅｑｕｅｎｃｙ  ＩＤｅｎｔｉｆｉｃａｔｉｏｎ）と呼ばれる無線通信による自動識別技術を利用したものであって、非接触により電子情報の読み書きが可能な無線ＩＣ（Ｉｎｔｅｇｒａｔｅｄ  Ｃｉｒｃｕｉｔ）タグ１ｂが設けられている。この無線ＩＣタグ１ｂは、図示しないアンテナ、送受信回路、電源回路、制御回路、メモリから構成され、後述する無線通信部１５、無線読取記録部１６ｂとの間でメモリに記録されたデータの授受を行う。
【００２６】
具体的に、無線ＩＣタグ１ｂは、制御回路の制御により、メモリに記録された情報の読み出し動作を行い、読み出した情報を信号に変換して送受信回路に出力する。送受信回路は、制御回路から入力された信号を変調増幅してアンテナに出力し、アンテナは、送受信回路からの入力信号を電波信号として無線通信部１５に送信する。
【００２７】
また、無線ＩＣタグ１ｂは、無線読取記録部１６ｂから送信された電波信号をアンテナを介して送受信回路に出力させる。送受信回路は、アンテナから入力された信号を復調して、制御回路に出力する。制御回路は、送受信回路から入力された信号に応じて、メモリへ情報の書き込み（記録）動作を行う。このメモリには、インデックス画像、履歴情報等のタグ情報が記録される。また、電源回路は、アンテナを介して無線通信部１５又は無線読取記録部１６ｂから受信した電波を電圧に変換し、無線ＩＣタグ１ｂの各部への電源供給を行う。
【００２８】
なお、本実施の形態においては、無線ＩＣタグ１ａは、電磁誘導方式により、記録再生装置１０と無線通信を行うものとして説明を行うが、通信方式はこれに限らず、電磁結合方式、マイクロ波方式、光方式等、その他の通信方式を適用することとしてもよい。
【００２９】
次に、図２を参照して、無線ＩＣタグ１ｂに記録されるタグ情報の一例を説明する。図２は、無線ＩＣタグ１ｂにタグ情報として記録されるインデックス画像の一例を示す図である。図２に示すように、光学記録部１ａに記録される画像情報の縮小画像が１枚の画像データとして記録されている。
【００３０】
また、図３は、無線ＩＣタグ１ｂに記録される履歴情報の一例を示す図である。図３（ａ）は、オリジナルのデータを記録する第１世代のＣＤ−Ｒに記録される履歴情報であり、図３（ｂ）は、第１世代のＣＤ−Ｒからデータをコピーした第２世代のＣＤ−Ｒに記録される履歴情報であり、図３（ｃ）は、第２世代のＣＤ−Ｒからデータをコピーした第３世代のＣＤ−Ｒに記録される履歴情報である。
【００３１】
図３（ａ）に示すように、第１世代（オリジナル）のＣＤ−Ｒに記録される履歴情報には、光学記録部１ａに記録されているデータ構成を示す情報が含まれている。すなわち、最上位の階層となるルートディレクトリ「ＶＯＬ１２３４５６」には、「ＤＣＩＭ」ディレクトリと、「ｉｎｆｏ．ＸＭＬ」ファイルが格納され、「ＤＣＩＭ」ディレクトリには、「１００ＫＯＮＩＣ」ディレクトリと「ＫＯＮＩ０００１．ＡＶＩ」ファイルが格納されていることを示している。また、「１００ＫＯＮＩＣ」ディレクトリには、「ＰＩＣＴ０００１．ＪＰＧ」〜「ＰＩＣＴ０００６．ＪＰＧ」の６枚の画像データが格納されていることを示している。
【００３２】
また、図３（ｂ）に示すように、第１世代（オリジナル）のＣＤ−Ｒからデータをコピーした第２世代のＣＤ−Ｒの履歴情報は、同様に、最上位の階層となるルートディレクトリ「ＶＯＬ１２３４５６Ａ１」に、「ＤＣＩＭ」ディレクトリと、「ｉｎｆｏ．ＸＭＬ」ファイルが格納され、「ＤＣＩＭ」ディレクトリに、「１００ＫＯＮＩＣ」ディレクトリと「ＫＯＮＩ０００１．ＡＶＩ」ファイルが格納されていることを示している。また、「１００ＫＯＮＩＣ」ディレクトリには、「ＰＩＣＴ０００１．ＪＰＧ」，「ＰＩＣＴ０００３．ＪＰＧ」，「ＰＩＣＴ０００４．ＪＰＧ」として３枚の画像データが格納されていることを示している。
【００３３】
さらに、図３（ｃ）に示すように、第２世代のＣＤ−Ｒからデータをコピーした第３世代のＣＤ−Ｒの履歴情報は、最上位の階層となるルートディレクトリ「ＶＯＬ１２３４５６Ａ１Ｂ１」に、「ＤＣＩＭ」ディレクトリと、「ｉｎｆｏ．ＸＭＬ」ファイルが格納され、「ＤＣＩＭ」ディレクトリに、「１００ＫＯＮＩＣ」ディレクトリと「ＫＯＮＩ０００１．ＡＶＩ」ファイルが格納されていることを示している。また、「１００ＫＯＮＩＣ」ディレクトリには、「ＰＩＣＴ０００１．ＪＰＧ」，「ＰＩＣＴ０００４．ＪＰＧ」として２枚の画像データが格納されていることを示している。
【００３４】
ここで、第２世代のルートディレクトリ名は「ＶＯＬ１２３４５６Ａ１」であり、第１世代のルートディレクトリ名「ＶＯＬ１２３４５６」とは、異なるディレクトリ名が付されている。この第２世代のルートディレクトリ名に追加された「Ａ１」の付加記号のうち、アルファベット部分は、元のＣＤ−Ｒからコピーされたデータの割合を示す記号である。例えば、「Ａ」は、オリジナルのＣＤ−Ｒから７５％以上のデータがコピーされたことを示している。また、「Ｂ」は、オリジナルのＣＤ−Ｒから７５％〜５０％のデータがコピーされたことを示し、「Ｃ」は、オリジナルのＣＤ−Ｒから５０％以下のデータがコピーされたこと示す。なお、コピーされたデータの割合は、例えば、データ容量に対する割合、ファイル数に対する割合等を任意に設定可能である。
【００３５】
また、付加記号「Ａ１」のうち、数字部分は、何世代目のＣＤ−Ｒからデータのコピーを行ったかを示す数字であり、「１」は、第１世代（オリジナル）のＣＤ−Ｒから複製を行っていることを示している。すなわち、図３（ｂ）に示す履歴情報においては、第１世代のルートディレクトリ名に「Ａ１」の付加記号を追加することにより、ＣＤ−Ｒに記録されたデータが、オリジナルのＣＤ−Ｒから７５％以上のデータをコピーすることにより作成された第２世代のＣＤ−Ｒであることを示している。
【００３６】
また、第３世代のルートディレクトリ名は、「ＶＯＬ１２３４５６Ａ１Ｂ２」であり、第２世代のディレクトリ名に「Ｂ２」を追加することにより、ＣＤ−Ｒに記録されたデータが第２世代のＣＤ−Ｒから７５〜５０％のデータがコピーされた第３世代のＣＤ−Ｒであることを示している。また、第１世代のディレクトリ名に「Ａ１Ｂ２」を追加することにより、オリジナルのＣＤ−Ｒから２回繰り返して、コピーが行われたＣＤ−Ｒであることが示されている。
【００３７】
したがって、無線ＩＣタグ１ｂに記録されている履歴情報に基づいて、ユーザは、ＣＤ−Ｒに記録されているデータが、オリジナルのものであるか、何世代目の複製であるかを容易に区別することができる。これにより、例えば、ＣＤ−Ｒの記録ミスによるデータの欠落等を防いで、高品質なデータのコピーを行うことができる。なお、上述した例では、第２世代のコピーであることをルートディレクトリ名に「Ａ１」を追加することにより示し、第３世代のコピーであることをルートディレクトリ名に「Ａ１Ｂ１」を追加することにより示す場合を例として説明したが、その他種々の記号を用いたり、他の態様により、これらの履歴を示す構成であってよい。
【００３８】
次に、記録メディア１の光学記録部１ａ及び無線ＩＣタグ１ｂに情報の記録を行うと共に、光学記録部１ａ及び無線ＩＣタグ１ｂに記録された情報の読み取り、再生を行う記録再生装置１０について説明する。
【００３９】
図４は、記録再生装置１０の機能的構成を示す図である。図４に示すように、記録再生装置１０は、ＣＰＵ１１、メモリ１２、記憶部１３、無線通信部１５、ＣＤ−Ｒ装填部１６、光学記録再生部１６ａ、無線読取記録部１６ｂ、表示部１７、入力部１８、スキャナ１９、印刷部２０等により構成され、各部はマザーボード１４を介して接続されている。
【００４０】
ＣＰＵ（Ｃｅｎｔｒａｌ  Ｐｒｏｃｅｓｓｉｎｇ  Ｕｎｉｔ）１１は、記憶部１３に格納されている各種プログラムの中から指定されたプログラムを、メモリ１２内の図示しないワークエリアに展開し、入力部１８、及び通信部２１から入力されるデータに応じて、プログラムに従った各種処理を実行し、処理結果をメモリ１２内のワークメモリに格納する。また、処理結果を表示するための表示情報を生成して表示部１７へ出力する。
【００４１】
具体的に、ＣＰＵ１１は、記憶部１３に格納されている画像情報記録処理プログラム、タグ情報読取処理プログラムを読み出して、後述する画像情報記録処理（図５参照）、タグ情報読取処理（図６参照）を実行する。各処理の詳細については後述する。
【００４２】
メモリ１２は、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等から構成され、ＣＰＵ１１によって実行される各種プログラムやこれら各種プログラムに係るデータ等を一時的に記憶するワークエリアを形成する。
【００４３】
記憶部１３は、プログラムやデータ等が予め記録されている記録媒体（図示せず）を有しており、この記録媒体は磁気的、光学的記録媒体、若しくは半導体メモリで構成されている。この記録媒体は、記憶部１３に固定的に設けられるもの、若しくは着脱自在に装着するものであり、この記録媒体には、システムプログラム、当該システムに対応する各種処理プログラム、及び各種処理プログラムで処理されたデータ等を記録する。また、プログラムは、コンピュータが読み取り可能なプログラムコードの形態で格納され、ＣＰＵ１１は、当該プログラムコードに従った動作を逐次実行する。
【００４４】
無線通信部１５は、例えば、記録再生装置１０の表面に設けられ、所定距離範囲内にある無線ＩＣタグ１ｂを検知して、無線ＩＣタグ１ｂとのデータ通信を開始する。具体的に、無線通信部１５は、アンテナ、送受信回路、制御回路、Ｉ／Ｆ等（何れも図示せず）から構成され、アンテナにより無線ＩＣタグ１ｂから送信された電波信号を受信する。また、受信した信号を送受信回路により復調して、制御回路に出力する。また、制御回路は、送受信回路からの入力信号をＩ／Ｆを介して、ＣＰＵ１１に出力させ、データの読取りを行う。
【００４５】
ＣＤ−Ｒ装填部１６は、記録メディアであるＣＤ−Ｒ１を着脱可能に装填する。このＣＤ−Ｒ装填部１６は、装填されたＣＤ−Ｒ１に情報の記録再生及び読み書きを行うため、光学記録再生部１６ａと無線読取記録部１６ｂを備えている。
【００４６】
光学記録部１６ａは、圧縮部、スピンドルモータ、光ピックアップ、記録用磁気ヘッド及びＣＤ−Ｒ記録再生回路等（何れも図示せず）から構成される。光学記録再生部１６ａは、光ピックアップから発せられるレーザ光（記録光）をＣＤ−Ｒの記録膜に対物レンズで合焦させ、記録膜を物理的に変化させることにより、データの記録を行う。
【００４７】
無線読取記録部１６ｂは、アンテナ、送受信回路、制御回路、Ｉ／Ｆ等（何れも図示せず）から構成される。制御回路は、Ｉ／Ｆを介して、ＣＰＵ１１から入力された信号を送受信回路に出力し、送受信回路は、制御回路からの入力された信号を変調増幅してアンテナに出力する。アンテナは、送受信回路からの入力信号を電波信号として無線ＩＣタグに送信する。
【００４８】
また、アンテナは、無線ＩＣタグ１ｂから送信された電波信号を受信して送受信回路に送信し、送受信回路は、受信した信号を復調して制御回路に出力する。制御回路は、送受信回路からの入力信号をＩ／Ｆを介してＣＰＵ１１に出力させ、データの読取りを行わせる。
【００４９】
表示部１７は、ＣＲＴ（Ｃａｔｈｏｄｅ  Ｒａｙ  Ｔｕｂｅ）やＬＣＤ（Ｌｉｑｕｉｄ  Ｃｒｙｓｔａｌ  Ｄｉｓｐｌａｙ）等によってなる表示画面を備え、ＣＰＵ１１から入力される表示信号の指示に従って入力部１８により入力される入力情報や、無線通信部１５から入力されるタグ情報や光学記録再生部１６ａから入力される画像情報を表示情報として表示画面上に表示する。
【００５０】
入力部１８は、文字キー、数字キー、及び各種機能キーを備えたキーボードを含み、このキーボードで押下されたキーに対応する押下信号をＣＰＵ１１に出力する。また、入力部１８は、必要に応じてマウス、タッチパネル等のポインティングデバイスや、その他の入力装置を備えるものとしてもよい。
【００５１】
スキャナ１９は、図示しない光源、レンズ、ＣＣＤ（Ｃｈａｒｇｅ  Ｃｏｕｐｌｅｄ  Ｄｅｖｉｃｅ）、等により構成され、ＣＰＵ１１の制御に応じて光源から原稿へ照明走査した光の反射光を結像して光電変換することにより原稿画像を読み取り、読み取った画像データをＣＰＵ１１の制御に応じて、メモリ１２又は記憶部１３に出力する。
【００５２】
印刷部２０は、連続紙、またはカット紙が印刷用紙として装着された給紙部（図示せず）と排紙部（図示せず）を備え、ＣＰＵ１１の制御に応じてメモリ１２から入力される印刷データを、赤外レーザ光やＬＥＤ（Ｌｉｇｈｔ−Ｅｍｉｔｔｉｎｇ  Ｄｉｏｄｅ）による投射光を用いた電子写真方式によって、上記印刷用紙に印刷データを転写して排紙出力する。
【００５３】
次に、本実施の形態の動作を説明する。
なお、動作説明の前提として、以下のフローチャートに記述されている各処理を実現するためのプログラムは、記録再生装置１０のＣＰＵ１１が読み取り可能なプログラムコードの形態で記憶部１３に格納されており、ＣＰＵ１１は、当該プログラムコードに従った動作を逐次実行する。
【００５４】
まず、ＣＤ−Ｒ１に画像情報及びタグ情報を記録するための画像情報記録処理について説明する。図５は、ＣＰＵ１１により実行される画像情報記録処理を示すフローチャートである。図５に示すように、入力部１８を介してＣＤ−Ｒ記録指示が入力されると（ステップＳ１；ＹＥＳ）、ＣＰＵ１１は、画像情報を記憶部１３から取得するか、光学記録再生部１６ｂ又はスキャナ１９を制御して各媒体から取得させる（ステップＳ２）。
【００５５】
続いて、ＣＰＵ１１は、画像情報をＣＤ−Ｒ１から取得したか否かを判別する（ステップＳ３）。画像情報をＣＤ−Ｒ１から取得していない場合（ステップＳ３；ＮＯ）、すなわち、予め記憶部１３に記憶されている画像情報を取得した場合、又はスキャナ１９からプリント画像を読み取って画像情報を取得した場合、ＣＰＵ１１は、第１世代（オリジナル）のルートディレクトリ名を決定して、履歴情報を生成する（ステップＳ６）。ＣＰＵ１１は、生成した履歴情報をメモリ１２に一旦格納する。
【００５６】
一方、画像情報をＣＤ−Ｒ１から取得した場合（ステップＳ３；ＹＥＳ）、ＣＰＵ１１は、無線読取記録部１６ｂを制御して、ＣＤ−Ｒ装填部１６に装填されているＣＤ−Ｒ１の無線ＩＣタグ１ｂから履歴情報を取得する（ステップＳ４）。続いて、ＣＰＵ１１は、取得した履歴情報に基づいて、ルートディレクトリ名を決定し、履歴情報を生成する（ステップＳ５）。ＣＰＵ１１は、生成した履歴情報をメモリ１２に一旦格納する。
【００５７】
さらに、ＣＰＵ１１は、取得した画像情報からインデックス画像を生成して（ステップＳ７）、履歴情報とともにメモリ１２に一旦格納する。続いて、ＣＰＵ１１は、記録用のＣＤ−Ｒ１がＣＤ−Ｒ装填部１６に装填されたか否かを判別し（ステップＳ８）、ＣＤ−Ｒ１が装填された場合（ステップＳ８；ＹＥＳ）、光学記録再生部１６ａを制御して、ＣＤ−Ｒ１の光学記録部１ａに画像情報を記録する（ステップＳ９）。
【００５８】
また、ＣＰＵ１１は、メモリ１２に格納したインデックス画像及び履歴情報を取得し、無線読取記録部１６ｂを制御して、インデックス画像及び履歴情報をタグ情報として、ＣＤ−Ｒ１の無線ＩＣタグ１ｂに記録させる（ステップＳ１０）。そして、ＣＰＵ１１は、画像情報又はタグ情報の記録が終了したか否かを判別し（ステップＳ１１）、記録が終了していない場合（ステップＳ１１；ＮＯ）、ステップＳ９に移行して、画像情報又はタグ情報の記録を継続して実行する。また、記録が終了した場合（ステップＳ１１；ＹＥＳ）、ＣＰＵ１１は、本画像情報記録処理を終了する。
【００５９】
次に、ＣＤ−Ｒ１の無線ＩＣタグ１ｂに記録されたタグ情報を読取るタグ情報読取処理について説明する。図６は、ＣＰＵ１１により実行されるタグ情報読取処理を示すフローチャートである。ユーザにより、ＣＤ−Ｒ１が無線通信部１５の所定距離範囲内に近づけられると、無線通信部１５により、無線ＩＣタグ１ｂが通信可能な距離にあるか否かが検知される（ステップＳ２１）。
【００６０】
無線通信部１５により、無線ＩＣタグ１ｂが無線通信可能な距離にあると検知された場合（ステップＳ２１）、無線通信部１５と、無線ＩＣタグ１ｂとの間で、データ通信が開始される（ステップＳ２２）。無線通信部１５は、データ通信により取得したタグ情報をＣＰＵ１１に出力し、ＣＰＵ１１は、無線ＩＣタグ１ｂに記録されたタグ情報を取得する（ステップＳ２３）。そして、ＣＰＵ１１は、取得したタグ情報に基づいて表示情報を生成し、インデックス画像と履歴情報を表示部１７に表示させる（ステップＳ２４）。そして、ＣＰＵ１１は、本タグ情報読取処理を終了する。
【００６１】
以上のように、本実施の形態によれば、ＣＤ−Ｒ１に、光学記録部１ａと無線ＩＣタグ１ｂを備え、記録再生装置１０は、ＣＤ−Ｒ１の光学記録部１ａに画像情報を記録すると共に、無線ＩＣタグ１ｂに光学記録部１ａに記録される画像情報のインデックス画像と光学記録部１ａに記録される画像情報に関する履歴情報を記録する。そして、記録再生装置１０の表面に設けられる無線通信部１５により、無線ＩＣタグ１ｂに記録させたインデックス画像及び履歴情報を読取らせ、読取ったインデックス画像及び履歴情報を表示部１７に表示させる。
【００６２】
したがって、ＣＤ−Ｒ装填部１６にＣＤ−Ｒ１を装填する手間を必要とせずに、記録再生装置１０の表面に設けられる無線通信部１５にＣＤ−Ｒ１を近づけるだけで、ＣＤ−Ｒ１に記録されている画像情報のインデックス画像及び履歴情報が表示部１７に表示されるため、容易にＣＤ−Ｒ１に記録される内容を確認することができる。
【００６３】
すなわち、従来の記録再生装置１０のように、ＣＤ−Ｒ装填部１６にＣＤ−Ｒ１を装填し、光学記録再生部１６ａにより、ＣＤ−Ｒ１の光学記録部に記録されたインデックス画像等を読み出すことにより、ＣＤ−Ｒ１に記録されている内容の確認を行い、目的とするＣＤ−Ｒ１と異なるＣＤ−Ｒ１であった場合、ＣＤ−Ｒ装填部１６排出させ、別のＣＤ−Ｒ１をＣＤ−Ｒ装填部１６に装填して、ＣＤ−Ｒの内容の確認を行うという一連の作業を必要としないため、容易かつ迅速にＣＤ−Ｒの内容を確認することができる。これにより、利便性、操作性のよい記録再生装置１０を提供することができる。
【００６４】
また、履歴情報には、何世代目のＣＤ−Ｒからコピーされたものであるかが記録されるため、例えば、ＣＤ−Ｒ１の複製を行う場合、複数のＣＤ−Ｒの中からオリジナルのＣＤ−Ｒ１を的確に選別して、記録ミスによるデータの欠落等のない、オリジナルのＣＤ−Ｒを元にしたＣＤ−Ｒ１の複製を行うことができる。また、複製したＣＤ−Ｒ１にデータの欠落等があった場合、複製を行った元のＣＤ−Ｒ１を容易に特定することができるため、トラブルの原因を容易に発見して、トラブルの発生を防ぐことができる。
【００６５】
或いは、ＣＤ−Ｒに記録される履歴情報に基づいて、データのコピーに貢献したＣＤ−Ｒにポイントを発行し、ポイントに基づいて得点を与える構成であってもよい。例えば、ＣＤ−Ｒ１に記録される情報が通信販売等における商品の画像データを含むＣＤ−Ｒである場合、ＣＤ−Ｒ１を複製して顧客や友人にＣＤ−Ｒ１を配布した数に応じてポイントを与える場合や、ＣＤ−Ｒ１に記録された画像データをインターネット上に開設されるＨＰを介して写真プリントを行う際に、複製元となったＣＤ−Ｒ１にポイントを与える場合等である。すなわち、履歴情報を販売促進の貢献度等を図るための指標とすることができ、種々の形態に本発明を利用することが可能である。
【００６６】
なお、上述した例では、一のＣＤ−Ｒから他のＣＤ−Ｒにデータのコピーを行った場合の履歴情報について説明を行ったが、複数のＣＤ−Ｒから他の一のＣＤ−Ｒにデータのコピーを行う構成であっても良い。この場合の履歴情報について、図７を参照して説明する。図７は、２つの異なるＣＤ−Ｒ（Ａ），（Ｂ）から、一のＣＤ−Ｒ（Ｃ）にデータがコピーされた場合に、無線ＩＣタグ１ｂに記録される履歴情報の一例を示す図である。
【００６７】
図７に示すように、上段に示される履歴情報は、ＣＤ−Ｒ（Ａ）に記録されている履歴情報であり、その下段に示される履歴情報は、ＣＤ−Ｒ（Ｂ）に記録されている履歴情報である。すなわち、ＣＤ−Ｒ（Ａ）には、オリジナルの画像情報が記録され、ルートディレクトリ「ＶＯＬ１２３４５６」には、「ＤＣＩＭ」ディレクトリと、「ｉｎｆｏ．ＸＭＬ」ファイルが格納され、「ＤＣＩＭ」ディレクトリには、「１００ＫＯＮＩＣ」ディレクトリが格納されていることを示している。また、「１００ＫＯＮＩＣ」ディレクトリには、「ＰＩＣＴ０００１．ＪＰＧ」〜「ＰＩＣＴ０００６．ＪＰＧ」として６枚の画像データが格納されていることを示している。
【００６８】
また、ＣＤ−Ｒ（Ｂ）には、オリジナルの画像情報及び音楽情報が記録され、ルートディレクトリ「ＶＯＬ１２３４５７」には、「ＤＣＩＭ」ディレクトリと、「ｉｎｆｏ．ＸＭＬ」ファイルが格納され、「ＤＣＩＭ」ディレクトリには、「１００ＫＯＮＩＣ」ディレクトリと、「ＳＯＵＤ０００１．ＭＰＧ」として１つの音楽データが格納されていることを示している。また、「１００ＫＯＮＩＣ」ディレクトリには、「ＰＩＣＴ０００１．ＪＰＧ」〜「ＰＩＣＴ０００６．ＪＰＧ」として６枚の画像データが格納されていることを示している。
【００６９】
上述したＣＤ−Ｒ（Ａ）とＣＤ−Ｒ（Ｂ）に記録されたデータがＣＤ−Ｒ（Ｃ）にコピーされた場合に、ＣＤ−Ｒ（Ｃ）に記録される履歴情報は、矢印下段に示すように、ルートディレクトリ「ＶＯＬ１２３４５６Ａ１ＶＯＬ１２３４５７Ｂ１」に、「ＶＯＬ１２３４５６」ディレクトリと、「ＶＯＬ１２３４５７」ディレクトリと、「ｉｎｆｏ．ＸＭＬ」ファイルとが格納されていることを示している。
【００７０】
また、「ＶＯＬ１２３４５６」ディレクトリには、「ＤＣＩＭ」ディレクトリが格納され、「ＤＣＩＭ」ディレクトリには、「１００ＫＯＮ」ディレクトリが格納されていることを示している。さらに、「１００ＫＯＮ」ディレクトリには、「ＰＩＣＴ０００１．ＪＰＧ」，「ＰＩＣＴ０００２．ＪＰＧ」，「ＰＩＣＴ０００５．ＪＰＧ」として３枚の画像データが格納されていることを示している。
【００７１】
一方、「ＶＯＬ１２３４５７」ディレクトリには、「ＤＣＩＭ」ディレクトリが格納され、「ＤＣＩＭ」ディレクトリには、「１００ＫＯＮ」ディレクトリと、「ＳＯＵＤ０００１．ＭＰＧ」として１つの音楽データが格納されていることを示している。さらに、「１００ＫＯＮ」ディレクトリには、「ＰＩＣＴ０００２．ＪＰＧ」として１枚の画像データが格納されていることを示している。
【００７２】
すなわち、２つの異なるＣＤ−Ｒ（Ａ）、ＣＤ−Ｒ（Ｂ）から１つのＣＤ−Ｒ（Ｃ）データをコピーする場合、ルートディレクトリ名は、各ＣＤ−Ｒのルートディレクトリ名の末尾に、コピーしたデータの割合及び何世代目からのコピーであるかを示す記号「Ａ１」，「Ｂ１」を追加したルートディレクトリ名が生成され、履歴情報として記録される。この構成により、ＣＤ−Ｒ（Ｃ）に記録されたデータは、２つの異なるオリジナルのＣＤ−Ｒからコピーして生成されたＣＤ−Ｒであることが認識できる。
【００７３】
また、上述した例では、履歴情報をディレクトリ構造に従ってツリー形式により記述する構成としたが、これに限らず、例えば、タグにより記述する構成であってもよい。例えば、図３（ａ）〜（ｃ）に示す第１世代、第２世代、第３世代のＣＤ−Ｒに記録される履歴情報をタグ形式により記述した場合を以下に示す。
【００７４】
2004355702.tif 000003
【００７５】
2004355702.tif 000004
【００７６】
2004355702.tif 000005
【００７７】
上記のように、コピーが行われたファイル名の末尾には、付加記号が追加され、コピーが行われたファイルの履歴を確認することが可能な構成となっている。なお、上述した履歴情報は、無線ＩＣタグ１ｂに記録されるだけでなく、例えば、ＣＤ−Ｒの光学記録部１ａに記録される「ｉｎｆｏ．ＸＭＬ」ファイルに記述される構成であっても良い。これにより、履歴情報を確実にＣＤ−Ｒ１に保存することができる。
【００７８】
また、上述した本実施の形態における記述は、本発明に係る好適な記録メディア、記録再生装置の一例であり、これに限定されるものではない。したがって、本実施の形態におけるＣＤ−Ｒ１、記録再生装置１０における各構成要素の細部構成及び細部動作に関しては、本発明の趣旨を逸脱することのない範囲で適宜変更可能であることは勿論である。
【００７９】
【発明の効果】
請求項１記載の発明によれば、異なる記録方式による２つの記録媒体を備えることにより、記録する情報の性質に応じて、好適な記録媒体に情報の記録を行うことができる。これにより、例えば、情報の記録容量が大きい第１の記録媒体に、画像情報、音楽情報、文字情報といった容量の大きい情報を記録させて、重要な情報を多量かつ確実に記録することができる。また、アクセス速度の早い第２の記録媒体に、インデックス情報や履歴情報を記録することにより、迅速かつ手軽に記録メディアに記録された情報の内容確認を行うことができ、利便性が良い。
【００８０】
請求項２記載の発明によれば、一又は二以上の記録メディアに記録された情報を他の記録メディアに記録する場合、履歴情報には、元となる記録メディアに関する情報が記録されるため、どの記録メディアから情報の複製が行われたかが明確になる。これにより、記録メディアから電子情報の複製を行う場合、オリジナルの記録メディアを容易に特定して、複製を行うことができ、記録ミスによる情報の欠落等を防ぐことができる。
【００８１】
請求項３記載の発明によれば、一又は二以上の記録メディアに記録された情報を他の記録メディアに記録する場合、履歴情報には、記録された情報量と、元となる記録メディアに記録されていた情報量の割合を容易に認識することができる。
【００８２】
請求項４記載の発明によれば、異なる記録方式による２つの記録媒体を備える記録メディアに、情報の性質に応じた記録方式にて情報を記録することができる。
【００８３】
請求項５記載の発明によれば、記録メディアからインデックス情報や履歴情報を迅速かつ容易に読み取り、読み取った情報を表示部に表示させることができる。これにより、ユーザは、記録メディアに記録されている情報の内容を視覚的に簡単に確認することができ、利便性が良い。
【００８４】
請求項６記載の発明によれば、例えば、ユーザは、記録メディアに設けられる第２の記録媒体を記録再生装置の表面に設けられる無線通信部に近づけるだけで、第２の記録媒体に記録された情報を読み取らせることができるため、操作性が良い。
【図面の簡単な説明】
【図１】本発明を適用した実施の形態におけるＣＤ−Ｒ１の外観構成を示す図である。
【図２】本発明を適用した実施の形態における記録再生装置１０の機能的構成を示すブロック図である。
【図３】図１に示すＣＤ−Ｒ１の無線ＩＣタグ１ｂに記録されるインデックス画像の一例を示す図である。
【図４】図１に示すＣＤ−Ｒ１の無線ＩＣタグ１ｂに記録される履歴情報の一例を示す図である。
【図５】図２に示すＣＰＵ１１により実行される画像情報記録処理を示すフローチャートである。
【図６】図２に示すＣＰＵ１１により実行されるタグ情報読出処理を示すフローチャートである。
【図７】図１に示すＣＤ−Ｒ１の無線ＩＣタグ１ｂに記録される履歴情報の一例を示す図である。
【符号の説明】
１    ＣＤ−Ｒ
１ａ  光学記録部
１ｂ  無線ＩＣタグ
１ｃ  基盤
１０  記録再生装置
１１    ＣＰＵ
１２    メモリ
１３    記憶部
１４    マザーボード
１５    無線通信部
１６    ＣＤ−Ｒ装填部
１６ａ  光学記録再生部
１６ｂ  無線読取記録部
１７    表示部
１８    入力部
１９    スキャナ
２０    印刷部
【図１】
2004355702.tif 000006
【図２】
2004355702.tif 000007
【図３】
2004355702.tif 000008
【図４】
2004355702.tif 000009
【図５】
2004355702.tif 000010
【図６】
2004355702.tif 000011
【図７】
2004355702.tif 000012